(57)【要約】【課題】電子掲示板の情報を利用し、サムネイル、ラベルまたはジャケットなどの画像とするにふさわしいシーンを映像データから容易に抽出することができる記録再生装置および記録再生方法を提供する。【解決手段】本発明に係る記録再生装置１０は、ＣＰＵ１１、ＲＡＭ１２、ＲＯＭ１３、ネットワーク接続部１４、電子掲示板データ記憶部１５、録画ファイル記憶部１６、録画番組データ記憶部１７、表示部１８およびインターフェイス部２０を有するものである。ＣＰＵ１１は、ＲＯＭ１３に記憶された画像作成プログラムによって、少なくとも初期判定部、タイトル情報作成部、電子掲示板データ取得部、最大極大計算部、画像抽出基準時決定部、シーン抽出部および画像作成部として機能する。【選択図】  図１
2007166166.tif 000002
【特許請求の範囲】
【請求項１】
電子掲示板データベースから、録画ファイルに関する時系列の電子掲示板書き込み数を取得する電子掲示板データ取得部と、
前記時系列の電子掲示板書き込み数の情報を受け、前記書き込み数が最大の時刻の番組放送開始時刻からのオフセット時間と前記書き込み数が極大の時刻の前記番組放送開始時刻からのオフセット時間とを計算する最大極大計算部と、
前記最大の時刻または極大の時刻のいずれかを画像抽出基準時とする画像抽出基準時決定部と、
前記録画ファイルのうち、前記画像抽出基準時からあらかじめ設定された所要時間前の画像を抽出するとともに、前記画像抽出基準時から前記あらかじめ設定された所要時間前を中心に、あらかじめ設定された前後一定時間の映像データを抽出し、この前後一定時間の映像データをユーザに提示し、このユーザに任意の画像を抽出画像として選択する機会を与え、前記ユーザによる選択が行われない場合は、前記画像抽出基準時から前記あらかじめ設定された所要時間前の画像をもって前記録画ファイルを代表する画像とし、前記ユーザによる選択が行われた場合は、前記ユーザによって選択された画像をもって前記録画ファイルを代表する画像とするシーン抽出部と、
前記録画ファイルを代表する画像にもとづき、あらかじめ設定された縮小サイズのサムネイル画像データを作成し、前記録画ファイルを代表する画像にもとづき、あらかじめ設定された光ディスクなどの記憶媒体のサイズに合わせたラベル画像を作成し、前記録画ファイルを代表する画像にもとづき、あらかじめ設定された光ディスクなどの記憶媒体のケースのサイズに合わせたジャケット画像を作成する画像作成部と、
を備えたことを特徴とする記録再生装置。
【請求項２】
電子掲示板データベースから、録画ファイルに関する時系列の電子掲示板書き込み数を取得するステップと、
前記時系列の電子掲示板書き込み数の情報にもとづき、前記書き込み数が最大の時刻の番組放送開始時刻からのオフセット時間と前記書き込み数が極大の時刻の前記番組放送開始時刻からのオフセット時間とを計算するステップと、
前記最大の時刻または極大の時刻のいずれかを画像抽出基準時とするステップと、
前記録画ファイルのうち、前記画像抽出基準時からあらかじめ設定された所要時間前の画像を抽出し、前記画像抽出基準時から前記あらかじめ設定された所要時間前を中心に、あらかじめ設定された前後一定時間の映像データを抽出し、この前後一定時間の映像データをユーザに提示し、このユーザに任意の画像を抽出画像として選択する機会を与えるステップと、
前記ユーザによる選択が行われない場合は、前記画像抽出基準時から前記あらかじめ設定された所要時間前の画像をもって前記録画ファイルを代表する画像とするステップと、
前記ユーザによる選択が行われた場合は、前記ユーザによって選択された画像をもって前記録画ファイルを代表する画像とするステップと、
前記録画ファイルを代表する画像にもとづき、あらかじめ設定された縮小サイズのサムネイル画像データを作成するステップと、
前記録画ファイルを代表する画像にもとづき、あらかじめ設定された光ディスクなどの記憶媒体のサイズに合わせたラベル画像を作成するステップと、
前記録画ファイルを代表する画像にもとづき、あらかじめ設定された光ディスクなどの記憶媒体のケースのサイズに合わせたジャケット画像を作成するステップと、
を有することを特徴とする記録再生方法。
【請求項３】
サーバから、録画ファイルに関する複数の画像および前記画像の番組放送開始時刻からのオフセット時間の情報を取得するサーバデータ取得部と、
前記サーバから得た情報にしたがって、前記録画ファイルから複数の画像を抽出し、この複数の画像をユーザに提示し、このユーザに任意の画像を抽出画像として選択する機会を与え、前記ユーザによる選択が行われない場合は、複数の画像からランダムに一つを自動抽出し、この画像をもって前記録画ファイルを代表する画像とし、前記ユーザによる選択が行われた場合は、前記ユーザによって選択された画像をもって前記録画ファイルを代表する画像とするシーン抽出部と、
前記録画ファイルを代表する画像にもとづき、あらかじめ設定された縮小サイズのサムネイル画像データを作成し、前記録画ファイルを代表する画像にもとづき、あらかじめ設定された光ディスクなどの記憶媒体のサイズに合わせたラベル画像を作成し、前記録画ファイルを代表する画像にもとづき、あらかじめ設定された光ディスクなどの記憶媒体のケースのサイズに合わせたジャケット画像を作成する画像作成部と、
を備えたことを特徴とする記録再生装置。
【請求項４】
サーバから、録画ファイルに関する複数の画像および前記画像の番組放送開始時刻からのオフセット時間の情報を取得するステップと、
前記サーバから得た情報にしたがって、前記録画ファイルから複数の画像を抽出し、この複数の画像をユーザに提示し、このユーザに任意の画像を抽出画像として選択する機会を与えるステップと、
前記ユーザによる選択が行われない場合は、複数の画像からランダムに一つを自動抽出し、この画像をもって前記録画ファイルを代表する画像とするステップと、
前記ユーザによる選択が行われた場合は、前記ユーザによって選択された画像をもって前記録画ファイルを代表する画像とするステップと、
前記録画ファイルを代表する画像にもとづき、あらかじめ設定された縮小サイズのサムネイル画像データを作成するステップと、
前記録画ファイルを代表する画像にもとづき、あらかじめ設定された光ディスクなどの記憶媒体のサイズに合わせたラベル画像を作成するステップと、
前記録画ファイルを代表する画像にもとづき、あらかじめ設定された光ディスクなどの記憶媒体のケースのサイズに合わせたジャケット画像を作成するステップと、
を有することを特徴とする記録再生方法。
【発明の詳細な説明】
【技術分野】
【０００１】
本発明は、電子掲示板の情報を利用する記録再生装置および記録再生方法に関する。
【背景技術】
【０００２】
最近、映像や音声からなるデータを記録、再生する記録再生装置の記録媒体として、ＨＤＤなどの大容量記録媒体が利用されるようになってきた。しかし、ＨＤＤなどの大容量記録媒体は、その記録容量の大きさが原因となり、ユーザが自ら記録したデータを全データの中から探すのに手間取ってしまうという問題を抱える。
【０００３】
このため、従来、たとえばデータが映像データであれば、この映像データを代表するような特定のシーンを自動的に抽出してサムネイル画像とし、このサムネイル画像と映像データを関連付けて提示することによってユーザの利便性を上げる技術が存在する。
【０００４】
映像データを代表する特定のシーンを抽出する方法として、電子掲示板を利用する方法が考えられる。電子掲示板は、一般に、不特定多数の他者により書き込まれた情報により構成されるものである。たとえば、放送されたテレビ番組について書き込まれた電子掲示板の情報の中に、番組中の特定のシーンを抽出する手がかりとなるものがあれば、この手がかりをもとにして、ユーザが求める特定のシーンを自動的に抽出することができると期待できる。
【０００５】
従来、この種の電子掲示板の情報を利用する記録再生装置および記録再生方法に、特開２００３−３４８５０４号公報（特許文献１）に記載されたものがある。
【０００６】
特開２００３−３４８５０４号公報（特許文献１）に開示されたコンテンツ記録再生装置及びコンテンツ記録再生方法、並びにコンピュータ・プログラムは、録画された放送コンテンツを視聴する際に、他者から提案される視聴支援情報（電子掲示板等）を利用することにより、録画された放送コンテンツ中のシーンを特定して再生する処理を自動化するようになっている。
【特許文献１】特開２００３−３４８５０４号公報
【発明の開示】
【発明が解決しようとする課題】
【０００７】
従来の電子掲示板の情報を利用する技術は、再生のきっかけとなる大まかなシーン（時間）を探すにとどまるものであり、放送された番組中の番組を代表する特定のシーンをサムネイル画像として利用するものではない。画像は、映像データの一瞬を切り取ったものであり、映像データ全体を代表する特定のシーンを自動的にサムネイル画像として抽出することは非常に困難である。
【０００８】
また、従来のサムネイル画像と映像データを関連付けて提示することによってユーザの利便性を上げる技術は、番組開始から一定時間後の映像をキャプチャ（取り込み）してサムネイルとしている。このため、たとえばＣＭ中の画像など、放送された番組を代表する画像としてはふさわしくないシーンをサムネイル画像としてしまう事が度々発生していた。
【０００９】
放送された番組を代表する画像を得ることができれば、この画像を、番組を記録するＤＶＤなどの記録媒体のラベルやジャケットの画像として利用することもできる。
【００１０】
本発明は、上述した事情を考慮してなされたもので、電子掲示板の情報を利用し、サムネイル、ラベルまたはジャケットなどの画像とするにふさわしいシーンを映像データから容易に抽出することができる記録再生装置および記録再生方法を提供することを目的とする。
【課題を解決するための手段】
【００１１】
本発明に係る記録再生装置は、上述した課題を解決するために、請求項１に記載したように、電子掲示板データベースから、録画ファイルに関する時系列の電子掲示板書き込み数を取得する電子掲示板データ取得部と、前記時系列の電子掲示板書き込み数の情報を受け、前記書き込み数が最大の時刻の番組放送開始時刻からのオフセット時間と前記書き込み数が極大の時刻の前記番組放送開始時刻からのオフセット時間とを計算する最大極大計算部と、前記最大の時刻または極大の時刻のいずれかを画像抽出基準時とする画像抽出基準時決定部と、前記録画ファイルのうち、前記画像抽出基準時からあらかじめ設定された所要時間前の画像を抽出するとともに、前記画像抽出基準時から前記あらかじめ設定された所要時間前を中心に、あらかじめ設定された前後一定時間の映像データを抽出し、この前後一定時間の映像データをユーザに提示し、このユーザに任意の画像を抽出画像として選択する機会を与え、前記ユーザによる選択が行われない場合は、前記画像抽出基準時から前記あらかじめ設定された所要時間前の画像をもって前記録画ファイルを代表する画像とし、前記ユーザによる選択が行われた場合は、前記ユーザによって選択された画像をもって前記録画ファイルを代表する画像とするシーン抽出部と、前記録画ファイルを代表する画像にもとづき、あらかじめ設定された縮小サイズのサムネイル画像データを作成し、前記録画ファイルを代表する画像にもとづき、あらかじめ設定された光ディスクなどの記憶媒体のサイズに合わせたラベル画像を作成し、前記録画ファイルを代表する画像にもとづき、あらかじめ設定された光ディスクなどの記憶媒体のケースのサイズに合わせたジャケット画像を作成する画像作成部と、を備えたことを特徴とするものである。
【００１２】
また、本発明に係る記録再生方法は、上述した課題を解決するために、請求項２に記載したように、電子掲示板データベースから、録画ファイルに関する時系列の電子掲示板書き込み数を取得するステップと、前記時系列の電子掲示板書き込み数の情報にもとづき、前記書き込み数が最大の時刻の番組放送開始時刻からのオフセット時間と前記書き込み数が極大の時刻の前記番組放送開始時刻からのオフセット時間とを計算するステップと、前記最大の時刻または極大の時刻のいずれかを画像抽出基準時とするステップと、前記録画ファイルのうち、前記画像抽出基準時からあらかじめ設定された所要時間前の画像を抽出し、前記画像抽出基準時から前記あらかじめ設定された所要時間前を中心に、あらかじめ設定された前後一定時間の映像データを抽出し、この前後一定時間の映像データをユーザに提示し、このユーザに任意の画像を抽出画像として選択する機会を与えるステップと、前記ユーザによる選択が行われない場合は、前記画像抽出基準時から前記あらかじめ設定された所要時間前の画像をもって前記録画ファイルを代表する画像とするステップと、前記ユーザによる選択が行われた場合は、前記ユーザによって選択された画像をもって前記録画ファイルを代表する画像とするステップと、前記録画ファイルを代表する画像にもとづき、あらかじめ設定された縮小サイズのサムネイル画像データを作成するステップと、前記録画ファイルを代表する画像にもとづき、あらかじめ設定された光ディスクなどの記憶媒体のサイズに合わせたラベル画像を作成するステップと、前記録画ファイルを代表する画像にもとづき、あらかじめ設定された光ディスクなどの記憶媒体のケースのサイズに合わせたジャケット画像を作成するステップと、を有することを特徴とする方法である。
【００１３】
また、本発明に係る記録再生装置は、上述した課題を解決するために、請求項３に記載したように、サーバから、録画ファイルに関する複数の画像および前記画像の番組放送開始時刻からのオフセット時間の情報を取得するサーバデータ取得部と、前記サーバから得た情報にしたがって、前記録画ファイルから複数の画像を抽出し、この複数の画像をユーザに提示し、このユーザに任意の画像を抽出画像として選択する機会を与え、前記ユーザによる選択が行われない場合は、複数の画像からランダムに一つを自動抽出し、この画像をもって前記録画ファイルを代表する画像とし、前記ユーザによる選択が行われた場合は、前記ユーザによって選択された画像をもって前記録画ファイルを代表する画像とするシーン抽出部と、前記録画ファイルを代表する画像にもとづき、あらかじめ設定された縮小サイズのサムネイル画像データを作成し、前記録画ファイルを代表する画像にもとづき、あらかじめ設定された光ディスクなどの記憶媒体のサイズに合わせたラベル画像を作成し、前記録画ファイルを代表する画像にもとづき、あらかじめ設定された光ディスクなどの記憶媒体のケースのサイズに合わせたジャケット画像を作成する画像作成部と、を備えたことを特徴とするものである。
【００１４】
また、本発明に係る記録再生方法は、上述した課題を解決するために、請求項４に記載したように、サーバから、録画ファイルに関する複数の画像および前記画像の番組放送開始時刻からのオフセット時間の情報を取得するステップと、前記サーバから得た情報にしたがって、前記録画ファイルから複数の画像を抽出し、この複数の画像をユーザに提示し、このユーザに任意の画像を抽出画像として選択する機会を与えるステップと、前記ユーザによる選択が行われない場合は、複数の画像からランダムに一つを自動抽出し、この画像をもって前記録画ファイルを代表する画像とするステップと、前記ユーザによる選択が行われた場合は、前記ユーザによって選択された画像をもって前記録画ファイルを代表する画像とするステップと、前記録画ファイルを代表する画像にもとづき、あらかじめ設定された縮小サイズのサムネイル画像データを作成するステップと、前記録画ファイルを代表する画像にもとづき、あらかじめ設定された光ディスクなどの記憶媒体のサイズに合わせたラベル画像を作成するステップと、前記録画ファイルを代表する画像にもとづき、あらかじめ設定された光ディスクなどの記憶媒体のケースのサイズに合わせたジャケット画像を作成するステップと、を有することを特徴とする方法である。
【発明の効果】
【００１５】
本発明に係る記録再生装置および記録再生方法によれば、電子掲示板の情報を利用し、サムネイル、ラベルまたはジャケットなどの画像とするにふさわしいシーンを映像データから容易に抽出することができる。
【発明を実施するための最良の形態】
【００１６】
本発明に係る記録再生装置および記録再生方法の実施の形態について、添付図面を参照して説明する。
【００１７】
図１は、本発明に係る記録再生装置の第１実施形態を示す概略的な全体構成図である。
【００１８】
記録再生装置１０は、ＣＰＵ１１、ＲＡＭ１２、ＲＯＭ１３、ネットワーク接続部１４、電子掲示板データ記憶部１５、録画ファイル記憶部１６、録画番組データ記憶部１７、表示部１８およびインターフェイス部２０を有する。
【００１９】
ＣＰＵ１１は、ＲＯＭ１３内に記憶されたプログラムに従って、記録再生装置１０の処理動作を制御する。ＣＰＵ１１は、ＲＯＭ１３内に記憶された画像作成プログラムおよびプログラムの実行のために必要なデータを、ＲＡＭ１２へロードし、画像作成プログラムに従って電子掲示板から必要なデータを取得し特定の画像を抽出する処理を実行する。
【００２０】
ＲＡＭ１２は、ＣＰＵ１１が実行するプログラムおよびデータを一時的に格納するワークエリアを提供する。また、ＲＡＭ１２は、ユーザによる各種初期設定を記憶する。
【００２１】
ＲＯＭ１３は、記録再生装置１０の起動プログラム、画像作成プログラムや、これらのプログラムを実行するために必要な各種データを記憶する。
【００２２】
なお、ＲＯＭ１３は、磁気的もしくは光学的記憶媒体または半導体メモリなどの、ＣＰＵ１１により読み取り可能な記憶媒体を含んだ構成を有し、ＲＯＭ１３内のプログラムおよびデータの一部または全部は電子ネットワークを介してダウンロードされるように構成してもよい。
【００２３】
ネットワーク接続部１４は、電子ネットワークの形態に応じた種々の情報通信用プロトコルを実装する。ネットワーク接続部１４は、この各種プロトコルにしたがって記録再生装置１０と電子掲示板データベース３０とを接続する。
【００２４】
電子掲示板データ記憶部１５は、ネットワーク接続部１４を介して、電子掲示板データベース３０から取得した各種情報（放送日時、タイトルなど）および電子掲示板データを格納する。
【００２５】
録画ファイル記憶部１６は、インターフェイス部２０を介して入力される放送された番組の映像データなどを、録画ファイルとして格納する。また、放送局が、番組の映像データなどのほかに、この番組のタイトルの情報を送信している場合は、このタイトル情報を録画ファイルと関連付けて格納する。
【００２６】
録画番組データ記憶部１７は、録画ファイルに対して電子掲示板データ記憶部１５に格納されているこの録画ファイルに関する各種情報および電子掲示板データを関連付けて格納する。
【００２７】
表示部１８は、記録再生装置１０の状態を示すカウンタなどや、時刻などの情報を表示する。
【００２８】
インターフェイス部２０は、放送される番組の映像および画像のデータなどを受信し記録再生装置１０に与えるチューナ２１と、チューナの受信した映像データや記録再生装置１０から出力される映像データを表示するＣＲＴやＬＣＤなどの表示装置２２と、記録再生装置１０の出力にしたがってラベル画像やジャケット画像などの印刷を行う印刷装置２３と、ユーザの意思を記録再生装置１０に伝える機能を有するリモコンなどの入力装置２４と接続される。
【００２９】
図２は、電子掲示板データベース３０の保存する、放送された番組に関する情報を掲示する画面の構成例を示す図である。
【００３０】
電子掲示板データベース３０は、図２に示すように、放送された番組に関する各種情報（少なくとも放送日時を含むほか、たとえばタイトル情報などを含む）および電子掲示板データ（少なくとも書き込みが行われた日時（登録日時）、コメント（他者による書き込み）、放送の開始時刻から書き込みが行われた日時（登録日時）までのオフセット時間および時系列の電子掲示板書き込み数の情報を含むほか、たとえば登録者名などの情報を含む）を保存している。
【００３１】
図３は、ＣＰＵ１１の構成例を示す概略的なブロック図である。
【００３２】
ＣＰＵ１１は、ＲＯＭ１３に記憶された画像作成プログラムによって、少なくとも初期判定部１１ａ、タイトル情報作成部１１ｂ、電子掲示板データ取得部１１ｃ、最大極大計算部１１ｄ、画像抽出基準時決定部１１ｅ、シーン抽出部１１ｆおよび画像作成部１１ｇとして機能する。この各部は、ＲＡＭ１２の所要のワークエリアを、データの一時的な格納場所として利用する。
【００３３】
初期判定部１１ａは、録画ファイル記憶部１６を監視し、新規に記憶された録画ファイルの有無を判定する機能を有する。また、初期判定部１１ａは、新規に記憶された録画ファイルがある場合、録画ファイルにタイトル情報があるかどうか判定する機能を有する。
【００３４】
また、初期判定部１１ａは、新規に記憶された録画ファイルがあり、かつこの録画ファイルにタイトル情報がない場合、この録画ファイルに関するタイトル情報をネットワーク上（電子掲示板データベース３０を含む）から取得するかどうか判定する機能を有する。この判定は、インターフェイス部２０を介して表示装置２２に判定を求める表示を行うことによりユーザにゆだねてもよいし、自動的に取得を開始するようにしてもよい。
【００３５】
タイトル情報作成部１１ｂは、ネットワーク接続部１４を介してネットワーク上のあらかじめ設定されているいくつかのサイト（たとえば電子掲示板データベース３０のほか、番組を放送した放送局のサイトや番組表を掲示しているサイトなど）を検索し、タイトル情報を取得（ダウンロード）する機能を有する。
【００３６】
また、タイトル情報作成部１１ｂは、ネットワーク上から取得したタイトル情報を、録画ファイルに関連付けて録画番組データ記憶部１７に記憶させる機能を有する。
【００３７】
電子掲示板データ取得部１１ｃは、ネットワーク接続部１４を介して、電子掲示板データベース３０から、録画ファイルに関する各種情報および電子掲示板データなどを取得し、電子掲示板データ記憶部１５に記憶させる機能を有する。この取得したデータは、時系列の電子掲示板書き込み数が含まれたものである。
【００３８】
最大極大計算部１１ｄは、電子掲示板データ取得部１１ｃから時系列の電子掲示板書き込み数の情報を受け、書き込み数が最大の時刻の、放送の開始時刻からのオフセット時間Ｔmaxと、極大の時刻の、放送の開始時刻からのオフセット時間Ｔrmを計算する機能を有する。ここで、極大時刻Ｔrmは一つとは限らないことに注意する。
【００３９】
画像抽出基準時決定部１１ｅは、最大極大計算部１１ｄから書き込み最大時刻Ｔmaxおよび極大時刻Ｔrmを受け、最大時刻Ｔmaxまたは極大時刻Ｔrmを、画像抽出基準時とする機能を有する。いずれの時刻を画像抽出基準時とするかの判定は、表示装置２２を介してユーザにゆだねてもよいし、あらかじめ設定された方を自動的に選択することにより行ってもよい。ここで、極大時間Ｔrmを画像抽出基準時とした場合、この画像抽出基準時は一つとは限らないことに注意する。
【００４０】
シーン抽出部１１ｆは、録画ファイルのうち、画像抽出基準時からあらかじめ設定された所要時間前（以下、本実施形態では５秒前とする）の画像を抽出し、暫定的に録画ファイルを代表する画像（シーン）とする機能を有する。また、シーン抽出部１１ｆは、画像抽出基準時から５秒前を中心に、あらかじめ設定された前後一定時間（以下、本実施形態では前後各５秒間とする）の映像データを抽出し、この前後計１０秒間の映像データを、表示装置２２を介してユーザに提示し、ユーザに任意の画像を抽出画像として特定させる機能を有する。ユーザによって画像が選択された場合は、シーン抽出部１１ｆは、暫定的に抽出画像とされた画像を破棄し、ユーザによって選択された画像を抽出画像とする機能を有する。ここで、画像抽出基準時が複数ある場合には、ランダムに一つを自動抽出するようにあらかじめ設定してもよいし、ユーザにすべてを提示して選択させるようにしてもよい。
【００４１】
画像生成部は、シーン抽出部１１ｆから受けた抽出画像にもとづき、あらかじめ設定された縮小サイズのサムネイル画像データを作成し、このサムネイル画像とタイトル情報などとを関連付けて、録画番組データ記憶部１７に記録する機能を有する（図４参照）。
【００４２】
また、画像作成部１１ｇは、この抽出したシーンにもとづき、あらかじめ設定された光ディスクなどの記憶媒体のサイズに合わせたラベル画像を作成し、このラベル画像とタイトル情報などとを関連付けて、録画番組データ記憶部１７に記録する機能を有する（図５参照）。
【００４３】
また、画像生成部は、この抽出したシーンにもとづき、あらかじめ設定された光ディスクなどの記憶媒体のケースのサイズに合わせたジャケット画像を作成し、このジャケット画像とタイトル情報などとを関連付けて、録画番組データ記憶部１７に記録する機能を有する（図６参照）。
【００４４】
次に、記録再生装置１０の作用について説明する。
【００４５】
図７は、図１に示す記録再生装置１０により、電子掲示板の情報を利用し、サムネイル、ラベルまたはジャケットなどの画像とするにふさわしいシーンを映像データから抽出する際の手順を示すフローチャートである。図７において、Ｓに数字を付した符号は、フローチャートの各ステップを示す。
【００４６】
まず、ステップＳ１において、初期判定部１１ａは、録画ファイル記憶部１６を監視し、新規に記憶された録画ファイルの有無を判定する。新規に記憶された録画ファイルがある場合はステップＳ２に進む。一方、新規に記憶された録画ファイルがない場合は、引き続き新規に記憶された録画ファイルの有無を判定する。
【００４７】
次に、ステップＳ２において、初期判定部１１ａは、新規に記憶された録画ファイルについて、タイトル情報があるかどうか判定する。タイトル情報がない場合はステップＳ３に進む。一方、タイトル情報がある場合はステップＳ５に進む。
【００４８】
次に、ステップＳ３において、初期判定部１１ａは、タイトル情報を電子掲示板データベース３０から取得するかどうか判定する。この判定は、インターフェイス部２０を介して表示装置２２に判定を求める表示を行うことによりユーザにゆだねてもよいし、自動的に取得を開始するようにしてもよい。タイトル情報を取得する場合は、ステップＳ４に進む。一方、取得しない場合は、そのまま記録再生装置１０による画像抽出における一連の手順を終了する。
【００４９】
次に、ステップＳ４において、タイトル情報作成部１１ｂは、ネットワーク接続部１４を介して、ネットワーク上のあらかじめ設定されているいくつかのサイト（たとえば電子掲示板データベース３０のほか、番組を放送した放送局のサイトや番組表を掲示しているサイトなど）を検索し、タイトル情報を取得（ダウンロード）する。つづいて、タイトル情報作成部１１ｂは、ネットワーク上から取得したタイトル情報を、録画ファイルに関連付けて録画番組データ記憶部１７に記憶させる。
【００５０】
次に、ステップＳ５において、電子掲示板データ取得部１１ｃは、ネットワーク接続部１４を介して、電子掲示板データベース３０から、録画ファイルに関する各種情報（少なくとも放送日時を含む）および電子掲示板データ（少なくとも書き込みが行われた日時（登録日時）、コメント（他者による書き込み）、放送の開始時刻から書き込みが行われた日時（登録日時）までのオフセット時間および時系列の電子掲示板書き込み数の情報を含むほか、たとえば登録者名などの情報を含む）を取得する。この取得したデータは、時系列の電子掲示板書き込み数が含まれたものである。
【００５１】
次に、ステップＳ６において、最大極大計算部１１ｄは、電子掲示板データ取得部１１ｃから時系列の電子掲示板書き込み数の情報を受け、書き込み数が最大の時刻の、放送の開始時刻からのオフセット時間Ｔmaxと、極大の時刻の放送の開始時刻からのオフセット時間Ｔrmを計算する。ここで、極大時刻Ｔrmは一つとは限らないことに注意する。
【００５２】
次に、ステップＳ７において、画像抽出基準時決定部１１ｅは、最大極大計算部１１ｄから書き込み最大時刻Ｔmaxおよび極大時刻Ｔrmを受け、最大時刻Ｔmaxまたは極大時刻Ｔrmのいずれかを、画像抽出基準時と判定する。いずれの時刻を画像抽出基準時とするかの判定は、表示装置２２を介してユーザにゆだねてもよいし、あらかじめ設定された方を自動的に選択することにより行ってもよい。ここで、極大時間Ｔrmを画像抽出基準時とした場合、この画像抽出基準時は一つとは限らないことに注意する。
【００５３】
次に、ステップＳ８において、シーン抽出部１１ｆは、録画ファイルのうち、画像抽出基準時から５秒前の画像を抽出する。画像抽出を自動で行うようあらかじめ設定されている場合は、ステップＳ１０に進む。一方、自動で行う設定がされていない場合は、つづいて、シーン抽出部１１ｆは、画像抽出基準時から５秒前を中心に、前後各５秒間の映像データを抽出し、この前後計１０秒間の映像データを、表示装置２２を介してユーザに提示するとともに、ユーザに画像選択の意思を確認する。
【００５４】
ユーザは、この５秒間の映像データを再生、コマ送り、スロー再生するなどして、ユーザ自身が録画ファイルを代表するシーンとして最適だと考える映像データを抽出画像として選択することができる。
【００５５】
ユーザが入力装置２４を介して画像選択する意思を示した場合は、ステップＳ９に進む。一方、画像選択しない意思を示した場合は、ステップＳ１０に進む。
【００５６】
次に、ステップＳ９において、シーン抽出部１１ｆは、ユーザによって選択された画像を、抽出画像として画像作成部１１ｇに与える。また、ステップＳ１０において、シーン抽出部１１ｆは、画像抽出基準時から５秒前の画像を、抽出画像として画像作成部１１ｇに与える。
【００５７】
次に、ステップＳ１１において、画像生成部は、シーン抽出部１１ｆから受けた抽出画像にもとづき、あらかじめ設定された縮小サイズのサムネイル画像データを作成し、このサムネイル画像とタイトル情報などとを関連付けて、録画番組データ記憶部１７に記録する（図４参照）。
【００５８】
次に、ステップＳ１２において、画像作成部１１ｇは、シーン抽出部１１ｆから受けた抽出画像にもとづき、あらかじめ設定された光ディスクなどの記憶媒体のサイズに合わせたラベル画像を作成し、このラベル画像とタイトル情報などとを関連付けて、録画番組データ記憶部１７に記録する（図５参照）。
【００５９】
次に、ステップＳ１３において、画像生成部は、シーン抽出部１１ｆから受けた抽出画像にもとづき、あらかじめ設定された光ディスクなどの記憶媒体のケースのサイズに合わせたジャケット画像を作成し、このジャケット画像とタイトル情報などとを関連付けて、録画番組データ記憶部１７に記録し（図６参照）、記録再生装置１０による画像抽出における一連の手順は終了となる。
【００６０】
以上の手順により、電子掲示板の情報を利用し、サムネイル、ラベルまたはジャケットなどの画像とするにふさわしいシーンを映像データから容易に抽出することができる。
【００６１】
図１に示した記録再生装置１０は、電子掲示板データベース３０の情報を利用する。このため、従来の番組開始から一定時間後のシーンとくらべ、放送された番組を代表するにふさわしいシーンを容易に抽出することができる。また、電子掲示板データベース３０の情報は、番組放送とほぼ同時に得ることができる。したがって、番組放送から発表までに時間を要する視聴率などにくらべ、格段にリアルタイム性が高い。
【００６２】
また、記録再生装置１０は、この抽出した放送された番組を代表するにふさわしいシーンを用いて、番組を記録するＤＶＤなどの記録媒体のラベルやジャケットの画像を作成することができる。このため、印刷装置２３などを用いることにより、放送された番組を代表するにふさわしいシーンを、番組を記録するＤＶＤなどの記録媒体のラベルやジャケットにすることができる。このラベルやジャケットを印刷した記録媒体を収集すること自体が楽しく、親しい友人同士で見せ合うことで、コミュニケーションがより深くかつ広くなる利点がある。このような収集の楽しみやコミュニケーションの広がりによって、消費の拡大を期待することができる。
【００６３】
図８は、本発明に係る記録再生装置の第２実施形態を示す概略的な全体構成図である。
【００６４】
本実施形態では、番組の複数の画像（シーン）と各画像に対応する時間（放送開始時刻からのオフセット時間）の情報を少なくとも格納するサーバを設置し、第１実施形態における電子掲示板データベース３０にかえてこのサーバを用いて、放送された番組を代表するシーンを抽出する。
【００６５】
図８に示された記録再生装置１０Ａでは、電子掲示板データ記憶部１５にかわりサーバデータ記憶部１９が設けられている点およびＣＰＵ１１の機能が図１に示す記憶再生装置１０と相違する。他の構成および作用については、図１に示す記録再生装置１０と実質的に異ならないため、同一の構成については同一符号を付し、重複する説明を省略する。
【００６６】
記録再生装置１０Ａは、ＣＰＵ１１、ＲＡＭ１２、ＲＯＭ１３、ネットワーク接続部１４、録画ファイル記憶部１６、録画番組データ記憶部１７、表示部１８、サーバデータ記憶部１９およびインターフェイス部２０を有する。
【００６７】
ＣＰＵ１１は、ＲＯＭ１３内に記憶されたプログラムに従って、記録再生装置の処理動作を制御する。ＣＰＵ１１は、ＲＯＭ１３内に記憶された画像作成プログラムおよびプログラムの実行のために必要なデータを、ＲＡＭ１２へロードし、画像作成プログラムに従ってサーバから必要なデータを取得し特定の画像を抽出する処理を実行する。
【００６８】
サーバ３１は、番組のタイトル情報、複数の画像（シーン）および各画像に対応する時間（放送開始時刻からのオフセット時間）の情報を少なくとも保存している。サーバ３１は、インターネットサイトを設置し、このサイトを通じて情報を提供するよう構成してもよい。
【００６９】
図９は、ＣＰＵ１１の構成例を示す概略的なブロック図である。
【００７０】
ＣＰＵ１１は、ＲＯＭ１３に記憶された画像作成プログラムによって、少なくとも初期判定部１１ａ、タイトル情報作成部１１ｂ、サーバデータ取得部１１ｈ、シーン抽出部１１ｆおよび画像作成部１１ｇとして機能する。この各部は、ＲＡＭ１２の所要のワークエリアを、データの一時的な格納場所として利用する。
【００７１】
サーバデータ取得部１１ｈは、ネットワーク接続部１４を介して、サーバ３１から、録画ファイルに関するタイトル情報、複数の画像（シーン）および各画像に対応する時間（放送開始時刻からのオフセット時間）の情報などを取得し、サーバデータ記憶部１９に記憶させる機能を有する。
【００７２】
シーン抽出部１１ｆは、サーバデータ記憶部１９に記憶されているサーバ３１から得た情報にしたがって、録画ファイルから複数の画像を抽出する機能を有する。また、シーン抽出部１１ｆは、この複数の画像を、表示装置２２を介してユーザに提示し、ユーザに任意の画像を抽出画像として特定させる機能を有する。シーン抽出部１１ｆは、ユーザによって画像が選択された場合は、ユーザによって選択された画像を抽出画像とし、ユーザによる画像選択が行われない場合には、複数の画像からランダムに一つを自動抽出する機能を有する。
【００７３】
次に、記録再生装置１０Ａの作用について説明する。
【００７４】
図１０は、図８に示す記録再生装置１０Ａにより、設置したサーバの情報を利用し、サムネイル、ラベルまたはジャケットなどの画像とするにふさわしいシーンを映像データから抽出する際の手順を示すフローチャートであり、図中Ｓに数字を付した符号は、フローチャートの各ステップを示す。また、図７と同等のステップについては同一符号を付し、重複する説明を省略する。
【００７５】
ステップＳ２１において、サーバデータ取得部１１ｈは、ネットワーク接続部１４を介して、サーバ３１から、録画ファイルに関するタイトル情報、複数の画像（シーン）および各画像に対応する時間（放送開始時刻からのオフセット時間）の情報などを取得し、サーバデータ記憶部１９に記憶させる機能を有する。
【００７６】
次に、ステップＳ２２において、シーン抽出部１１ｆは、サーバデータ記憶部１９に記憶されているサーバ３１から得た情報にしたがって、録画ファイルから複数の画像を抽出する。つづいて、シーン抽出部１１ｆは、この複数の映像データを、表示装置２２を介してユーザに提示するとともに、ユーザに画像選択の意思を確認する。ユーザが入力装置２４を介して画像選択する意思を示した場合は、ステップＳ２２に進む。一方、画像選択しない意思を示した場合は、ステップＳ２３に進む。
【００７７】
次に、ステップＳ２２において、シーン抽出部１１ｆは、ユーザによって選択された画像を、抽出画像として画像作成部１１ｇに与える。また、ステップＳ１０において、シーン抽出部１１ｆは、複数の画像からランダムに選択した一つの画像を、抽出画像として画像作成部１１ｇに与える。
【００７８】
図８に示した記録再生装置１０Ａは、放送された番組中の複数の画像および各画像に対応する時間の情報を保存するサーバ３１を利用する。このため、電子掲示板データベース３０を利用する場合に比べ、リアルタイム性は劣るものの、より的確に番組を代表すべきシーンを抽出することができる。
【図面の簡単な説明】
【００７９】
【図１】本発明に係る記録再生装置の第１実施形態を示す概略的な全体構成図。
【図２】電子掲示板データベースの保存する、放送された番組に関する情報を掲示する画面の構成例を示す図。
【図３】図１に示すＣＰＵの構成例を示す概略的なブロック図。
【図４】サムネイル画像と関連付けられたタイトル情報の一覧を示す説明図。
【図５】タイトル情報と関連付けられたラベル画像の印刷レイアウトを示す説明図。
【図６】タイトル情報と関連付けられたジャケット画像の印刷レイアウトを示す説明図。
【図７】図１に示す記録再生装置により、電子掲示板の情報を利用し、サムネイル、ラベルまたはジャケットなどの画像とするにふさわしいシーンを映像データから抽出する際の手順を示すフローチャート。
【図８】本発明に係る記録再生装置の第２実施形態を示す概略的な全体構成図。
【図９】図８に示すＣＰＵの構成例を示す概略的なブロック図。
【図１０】図８に示す記録再生装置により、設置したサーバの情報を利用し、サムネイル、ラベルまたはジャケットなどの画像とするにふさわしいシーンを映像データから抽出する際の手順を示すフローチャート。
【符号の説明】
【００８０】
１０、１０Ａ  記録再生装置
１１  ＣＰＵ
１１ａ  初期判定部
１１ｂ  タイトル情報作成部
１１ｃ  電子掲示板データ取得部
１１ｄ  最大極大計算部
１１ｅ  画像抽出基準時決定部
１１ｆ  シーン抽出部
１１ｇ  画像作成部
１１ｈ  サーバデータ取得部
１２  ＲＡＭ
１３  ＲＯＭ
１４  ネットワーク接続部
１５  電子掲示板データ記憶部
１６  録画ファイル記憶部
１７  録画番組データ記憶部
１８  表示部
１９  サーバデータ記憶部
２０  インターフェイス部
２１  チューナ
２２  表示装置
２３  印刷装置
２４  入力装置
３０  電子掲示板データベース
３１  サーバ
【図１】
2007166166.tif 000003
【図２】
2007166166.tif 000004
【図３】
2007166166.tif 000005
【図４】
2007166166.tif 000006
【図５】
2007166166.tif 000007
【図６】
2007166166.tif 000008
【図７】
2007166166.tif 000009
【図８】
2007166166.tif 000010
【図９】
2007166166.tif 000011
【図１０】
2007166166.tif 000012